(57)【要約】【課題】  充填した炭材が多少沈んだ場合でも、断熱や防音の効果、炭材のもつ調湿機能が低下することのないようにした断熱性壁面材を提供する。【解決手段】  断熱性板材２ａ，２ｂに所定の間隔で炭材充填孔３を並列に設け、各炭材充填孔３内に粉粒状の炭材４を充填し、断熱性板材２ａ，２ｂの両面に通気性シート５ａ，５ｂを貼付けてなる断熱性壁面材１であって、各炭材充填孔３は、断熱性板材２ａ，２ｂの一方面側の充填孔の中心３ａと他方面側の充填孔の中心３ｂとが、斜めにずれて形成されてなる。【選択図】  図２
2008007955.tif 000002
【特許請求の範囲】
【請求項１】
断熱性板材に所定の間隔で炭材充填孔を並列に設け、各炭材充填孔内に粉粒状の炭材を充填し、前記断熱性板材の両面に通気性シートを貼付けてなる断熱性壁面材であって、各炭材充填孔は、前記断熱性板材の一方面側の充填孔の中心と他方面側の充填孔の中心とが、斜めにずれて形成されてなることを特徴とする断熱性壁面材。
【請求項２】
断熱性板材に所定の間隔で炭材充填孔を並列に設け、各炭材充填孔内に粉粒状の炭材を充填し、前記断熱性板材の両面に通気性シートを貼付けてなる断熱性壁面材であって、各炭材充填孔は、前記断熱性板材の一方面側から他方面側に向けて大径となるように形成されてなることを特徴とする断熱性壁面材。
【請求項３】
隣接する炭材充填孔は、断熱性板材の一方面側から他方面側に向けて交互に大径となるように形成されてなる請求項２に記載の断熱性壁面材。
【発明の詳細な説明】
【技術分野】
【０００１】
本発明は、建築部材用の断熱性壁面材、特に断熱材の一部に炭材を充填してなる断熱性壁面材に関する。
【背景技術】
【０００２】
従来、シートとシートとの間に間仕切りを設け、空間部に泥炭を充填した建材用保温防音材が知られている（特許文献１参照）。
【０００３】
かかる建材用保温防音材を天井材や床材として使用する場合はよいが、壁材として用いる場合には、建材用保温防音材を立設して用いることになる。その場合、泥炭が沈んで、間仕切りの上部に隙間ができ易くなる。この隙間を通して通気することになり、断熱や防音の効果が低下し、また炭材のもつ調湿機能も低下することになる。
【特許文献１】特開平１１−１３１６２６号公報
【発明の開示】
【発明が解決しようとする課題】
【０００４】
そこで本発明の目的は、充填した炭材が多少沈んだ場合でも、断熱や防音の効果、炭材のもつ調湿機能が低下することのないようにした断熱性壁面材を提供することを目的とする。
【課題を解決するための手段】
【０００５】
上記課題を解決するために、本発明による断熱性壁面材は、断熱性板材に所定の間隔で炭材充填孔を並列に設け、各炭材充填孔内に粉粒状の炭材を充填し、前記断熱性板材の両面に通気性シートを貼付けてなる断熱性壁面材であって、各炭材充填孔は、前記断熱性板材の一方面側の充填孔の中心と他方面側の充填孔の中心とが、斜めにずれて形成されてなること、を特徴としている。
また、他の態様による断熱性壁面材は、断熱性板材に所定の間隔で炭材充填孔を並列に設け、各炭材充填孔内に粉粒状の炭材を充填し、前記断熱性板材の両面に通気性シートを貼付けてなる断熱性壁面材であって、各炭材充填孔は、前記断熱性板材の一方面側から他方面側に向けて大径となるように形成されてなること、を特徴としている。
ここで、隣接する炭材充填孔は、断熱性板材の一方面側から他方面側に向けて交互に大径となるように形成してもよい。
【発明の効果】
【０００６】
本発明の断熱性壁面材によれば、各炭材充填孔は、前記断熱性板材の一方面側の充填孔の中心と他方面側の充填孔の中心とが、斜めにずれて形成されてなるので、断熱性壁面材を立設して用いた場合、各炭材充填孔内に収容した粉粒状の炭材が多少沈んだ場合でも、隙間部分（炭材の充填されていない箇所）が一方面側から他方面側に貫通して形成されることがなく、防音や断熱効果が低下したり、炭材の調湿機能が低下することがない。
各炭材充填孔が、前記断熱性板材の一方面側から他方面側に向けて大径となるように形成されてなる場合も、上記と同様に、各炭材充填孔内に収容した粉粒状の炭材が多少沈んだ場合でも、隙間部分（炭材の充填されていない箇所）が一方面側から他方面側に貫通して形成されることがなく、防音や断熱効果が低下したり、炭材の調湿機能が低下することがない。
ここで、隣接する炭材充填孔を、断熱性板材の一方面側から他方面側に向けて交互に大径となるように形成すれば、断熱性壁面材の一方面側と他方面側の区別をすることなく使用できる。
【発明を実施するための最良の形態】
【０００７】
以下、本発明を実施するための最良の形態を図面を参照しつつ具体的に説明する。図１は第１実施例に用いる断熱性板材の正面図、図２は第１実施例における図１のＩＩ−ＩＩ線相当の拡大断面図、図３は第１実施例に用いる他の例による断熱性板材の正面図、図４は第２実施例を示す図２相当の断面図、図５は第３実施例による図２相当の断面図、図６は第４実施例による図２相当の断面図、図７は第５実施例による図２相当の断面図、図８は第６実施例による図２相当の断面図である。
【０００８】
図１及び図２に示した第１実施例による断熱性壁面材１は、矩形状の２枚の断熱性板材２（２ａ，２ｂ）に所定の間隔で円形の炭材充填孔３を並列に形成し、両断熱性板材２ａ，２ｂの対応する各炭材充填孔３の中心３ａ，３ｂを断熱性板材２の縦方向、横方向に対して斜めに（４５°）ずらせた状態で２枚の断熱性板材２ａ，２ｂを貼付け、各充填孔３内に粉粒状の炭材４を充填し、断熱性板材２ａ，２ｂの両面に通気性のシート５ａ，５ｂを貼付けたものである。
【０００９】
断熱性板材２（２ａ，２ｂ）は、例えば、発泡ウレタン製、発泡スチロール製などの断熱性の板材からなる。通気性シート５ａ，５ｂとしては、例えば、紙製の不織布、布製の不織布などが挙げられる。断熱性壁面材２（２ａ，２ｂ）の寸法の一例を示せば、縦１８２０ｍｍ、横４３５ｍｍ、厚さ（Ｄ）４０ｍｍ、炭材充填孔３の径９０ｍｍ、炭材充填孔３の一方面側の中心３ａと他方面側の中心３ｂとのズレ（Ａ）が３０ｍｍ、各充填孔３の縦方向のピッチ（Ｂ）が２８０ｍｍ、横方向のピッチ（Ｃ）が１９０ｍｍである。これらの寸法は一例であって、適宜変更可能である。
【００１０】
かかる構造の断熱性壁面材１によれば、縦方向に立設して使用する場合も、横方向に立設して使用する場合も、炭材４が充填孔３内で多少の隙間６を生じたとしても、図２の断面図に示すように、一方面側から他方面側に隙間６が連通することがない。従って、一方面から他方面側への空気の流れは、必ず炭材充填部４ａを通過することになる。
【００１１】
なお、炭材充填孔孔３の形状は図１に示すように円形でもよいし、図３に示すように四角形でもよく、特に限定されるものではない。後述の第２実施例乃至第６実施例においても同様である。
【００１２】
図４に示した第２実施例による断熱性壁面材１は、矩形状の１枚の断熱性板材１２に所定の間隔で並列に形成する炭材充填孔３を、一方面側から他方面側に向けて断熱性板材１２の縦方向、横方向に対して斜め方向に形成したもので、各炭材充填孔３内に粉粒状の炭材４を充填し、断熱性板材１２の両面に通気性のシート５ａ，５ｂを貼付けたものである。
【００１３】
図５に示した第３実施例による断熱性壁面材１は、矩形状の２枚の断熱性板材２ａ，２ｂに所定の間隔で並列に形成する炭材充填孔３を、一方の断熱性板材２ａに形成する炭材充填孔３の径を他方の断熱性板材２ｂに形成する炭材充填孔３の径より大きく形成したもので、各炭材充填孔３内に粉粒状の炭材４を充填し、断熱性板材２ａ，２ｂの両面に通気性のシート５ａ，５ｂを貼付けたものである。
【００１４】
図６に示した第４実施例による断熱性壁面材１は、矩形状の１枚の断熱性板材１２に所定の間隔で並列に形成する炭材充填孔３を、一方面側から他方面側に向けて次第に大径となるように形成したもので、各炭材充填孔３内に粉粒状の炭材４を充填し、断熱性板材１２の両面に通気性のシート５ａ，５ｂを貼付けたものである。
【００１５】
第１実施例及び第２実施例による断熱性壁面材１は、縦方向に立設しても、横方向に立設しても、一方面側と他方面側とを入れ換えて（裏返して）使用した場合でも、各炭材充填孔３は一方面側から他方面側に向けて斜めにずれて（傾斜して）形成されている。従って、使用に際して、縦方向と横方向の別、表面側と裏面側（一方面側と他方面側）の別に、特に注意を払う必要がない点で、使い勝手がよい。
【００１６】
これに対して、図５、図６に示した第３実施例及び第４実施例による断熱性壁面材１は、一方面側と他方面側とで炭材充填孔３の形状が異なる。このため、一方面側と他方面側を区別して使用する必要が生ずる点で、やや使い勝手が悪いと言える。
【００１７】
図７に示した第５実施例、図８に示した第６実施例による断熱性壁面材は、上記第３実施例、第４実施例の不便を解消したもので、一方面側と他方面側とを区別して使用する必要がない。
図７に示した第５実施例による断熱性壁面材１は、各炭材充填孔３を一方面側が大径かつ他方面側が小径又は一方面側が小径かつ他方面側が大径に形成し、隣接する炭材充填孔３を断熱性板材２ａ，２ｂの一方面側から他方面側に向けて交互に大径となるように形成したものである。
図８に示した第６実施例による断熱性壁面材１は、隣接する炭材充填孔３を、断熱性板材１２の一方面側から他方面側に向けて交互にかつ次第に大径となるように形成したものである。
【００１８】
第２実施例乃至第６実施例による断熱性壁面材１は、縦方向又は横方向に立設して使用する場合、炭材充填孔３内で多少の隙間を隙間６を生じたとしても、いずれも一方面側から他方面側に隙間６が連通することがなく、一方面側から他方面側への空気の流れは必ず炭材充填部４ａを通過する。
【図面の簡単な説明】
【００１９】
【図１】第１実施例に用いる断熱性板材の正面図。
【図２】第１実施例における図１のＩＩ−ＩＩ線相当の拡大断面図。
【図３】第１実施例に用いる他の例による断熱性板材の正面図。
【図４】第２実施例による図２相当の断面図。
【図５】第３実施例による図２相当の断面図。
【図６】第４実施例による図２相当の断面図。
【図７】第５実施例による図２相当の断面図。
【図８】第６実施例による図２相当の断面図。
【符号の説明】
【００２０】
１  断熱性壁面材
２（２ａ，２ｂ）  断熱性板材
３  炭材充填孔
４  炭材
４ａ  炭材充填部
５ａ，５ｂ  通気性シート
６  隙間
１２  断熱性板材
【図１】
2008007955.tif 000003
【図２】
2008007955.tif 000004
【図３】
2008007955.tif 000005
【図４】
2008007955.tif 000006
【図５】
2008007955.tif 000007
【図６】
2008007955.tif 000008
【図７】
2008007955.tif 000009
【図８】
2008007955.tif 000010